(57)【要約】【課題】天井バーにおける不使用の切欠部を見栄え良く閉塞できるとともに、被支持物の適正支持状態を確保できる天井バーにおける切欠部の閉塞構造を提供する。【解決手段】第１天井バー（１）の長手方向の先端側を第２天井バー（２）に接合した状態で切欠部閉塞用部材（３）を第２天井バー（２）の支持部（２３）内に下方から挿入するとともに、切欠部閉塞用部材（３）の第１及び第２突っ張り片部（３２）（３３）を介して支持部（２３）内に上下方向から挟着し、切欠部閉塞用部材（３）における閉塞片（３４）により第２天井バー（２）における不使用の切欠部（２５）を前記支持部（２３）の外面に面一状態で閉塞する。これにより、切欠部閉塞用部材（３）が堅固に装着されるうえ、支持部（２３）上に段差が発生したりせず、天井バー（１）（２）の外観性が向上するとともに、支持部（２３）上に被支持物（Ｍ）を適正に支持することができる。【選択図】　　　　図６
2004052255.tif 000002
【特許請求の範囲】
【請求項１】
第１天井バー並びに前記第１天井バーの長手方向の先端部が側方から接合される第２天井バーのそれぞれの本体部下端に形成された断面形状が下向き開放の略コ字形の被支持物用支持部と、
第１および第２天井バーにおける支持部の幅方向両側壁の各下端に幅方向内方へ折曲されて、長手方向全長に延びる左右の水平条部と、
第１天井バーの長手方向先端に位置して、前記左右の水平条部から所定角度で突出する突片部と、
第２天井バーの支持部における両側壁から対応する水平条部の内端にかけて断面Ｌ字形に形成されて、第１天井バーの先端が接合された時に、前記第１天井バーにおける突片部と嵌合する位置決め用の切欠部と、
天井バーを枠組みした際に第２天井バーの支持部内に嵌着されて、不使用の切欠部を内側から閉塞するための切欠部閉塞用部材とを備え、
切欠部閉塞用部材は、
第２天井バーの支持部における上壁内面に当接する基板部と、
基板部の幅方向一端から立ち下がり形成されて、第２天井バーの支持部の上壁内面と前記左側水平条部の内面との間で挟着される第１突っ張り片部と、
基板部の幅方向他端から立ち下がり形成されて、第１天井バーの支持部の上壁内面と前記右側水平条部の内面との間で挟着される第２突っ張り片部と、
不使用の切欠部に対応する側の突っ張り片部の外面に設けられて、前記第２天井バーの左右の水平条部間を通って基板部の幅方向から支持部内に挿入されるとともに、該支持部の軸回りの所定嵌着位置まで回動変移操作された時に、不使用の切欠部を支持部外面に面一状態で閉塞する断面Ｌ字形の閉塞片とを有していることを特徴とする天井バーにおける切欠部の閉塞構造。
【発明の詳細な説明】
【０００１】
【発明の属する技術分野】
本発明は、縦横に枠組みされた天井バーの間に天井板や照明装置等が取り付けられるシステム天井に適用される技術に関連し、詳しくは、天井バーに形成されている不使用の切欠部を閉塞する用に供される天井バーにおける切欠部の閉塞構造に関するものである。
【０００２】
【従来の技術】
一般に、システム天井（１００）は、図８に示すように、本体部（１１１）の長手方向の先端部に折曲可能に重合している一対の凸部（１１６）（１１６）を有する第１天井バー（１０１）と、本体部（１２１）に前記凸部（１１６）（１１６）が嵌入される嵌合孔（１２６）を有する第２天井バー（１０２）とによって構成されており、第１天井バー（１０１）の凸部（１１６）（１１６）を第２天井バー（１０２）の嵌合孔（１２６）に嵌め込み、凸部（１１６）（１１６）をそれぞれ離反する側に略９０°折り曲げて係止することにより、第１天井バー（１０１）と第２天井バー（１０２）とをクロス形或いはＴ字形に接合してある。
【０００３】
このような第１天井バー（１０１）の本体部（１１１）の下端に、断面形状が下向き開放の略コ字形の支持部（１１３）が形成される一方、第２天井バー（１０２）の本体部（１２１）の下端にも、同形状の略コ字形の支持部（１２３）が形成されており、これら支持部（１１３）（１２３）の各上壁が天井板や照明器具等の被支持物に対する支持面として構成されている。
【０００４】
また、第２天井バー（１０２）の支持部（１２３）の両側壁（１２３ａ）（１２３ｂ）からそれらの各下端に連成されている左右の水平条部（１２４ａ）（１２４ｂ）にかけて断面形状がＬ字形で、両側壁（１２３ａ）（１２３ｂ）には矩形、水平条部（１２４ａ）（１２４ｂ）には内側にすぼまった略台形の位置決め用切欠部（１２５）（１２５）がそれぞれ形成されており、第１天井バー（１０１）が接合される際には、この接合側の切欠部（１２５）に前記第１天井バー（１０１）の支持部（１１３）の長手方向の先端に突設された直角２等辺３角形状の突片部（１１５ａ）（１１５ｂ）が嵌合してＴ形接合部の位置決めがなされる。
【０００５】
ところで、この枠組み状態において、Ｔ字状に組み立てられた場合、前記第２天井バー（１０２）における両切欠部（１２５）（１２５）のうち、第１天井バー（１０２）が接合されない側の切欠部（１２５）は、不使用で空きとなる。
【０００６】
このため、従来では、図８に示すように、上下一対の挟着片部（２０１ａ）（２０１ｂ）を有するコ字形部材（２０１）を用意し、第２天井バー（１０２）と第１天井バー（１０１）とのＴ字状接合が終了した後、第２天井バー（１０２）の支持部（１２３）に対して前記コ字形部材（２０１）を側方から圧入して嵌着することにより、図９に示すように、前記不使用の切欠部（１２５）を閉塞する方策が採られている。
【０００７】
【発明が解決しようとする課題】
しかし、上記従来の技術では、コ字形部材（２０１）を前記支持部（１２３）に対して外側から嵌着して切欠部（１２５）を閉塞する構成であるから、第２天井バー（１０２）の外観が損なわれるのみならず、不用意にコ字形部材（２０１）が外れるおそれもあり、とくに、支持部（１２３）の上壁外面とコ字形部材（２０１）の上側挟着片部（２０１ａ）外面との間で段差Ｓが生じ、この段差Ｓに跨がって照明器具や空調設備などの被支持物が載置されると、段差Ｓにより隙間が発生し適正支持状態が得られないという問題があった。
【０００８】
本発明は、上記実情に鑑みてなされたものであり、天井バーにおける不使用の切欠部を見栄え良く堅固に閉塞できるとともに、被支持物の適正支持状態を確保できる天井バーにおける切欠部の閉塞構造を提供することを課題とする。
【０００９】
【課題を解決するための手段】
請求項１に記載の発明は、「第１天井バー（１）並びに前記第１天井バー（１）の長手方向の先端部が側方から接合される第２天井バー（２）のそれぞれの本体部（１１）（２１）の下端に形成された断面形状が下向き開放の略コ字形の被支持物用支持部（１３）（２３）と、第１および第２天井バー（１）（２）における支持部（１３）（２３）の幅方向両側壁（１３ａ）（１３ｂ）、（２３ａ）（２３ｂ）の各下端に幅方向内方へ折曲されて、長手方向全長に延びる左右の水平条部（１４ａ）（１４ｂ）、（２４ａ）（２４ｂ）と、第１天井バー（１）の長手方向先端に位置して、前記左右の水平条部（１４ａ）（１４ｂ）から所定角度で突出する突片部（１５ａ）（１５ｂ）と、第２天井バー（２）の支持部（２３）における各側壁（２３ａ）（２３ｂ）から対応する水平条部（２４ａ）（２４ｂ）の内端にかけて断面Ｌ字形に形成されて、第１天井バー（１）の先端が接合された時に、前記第１天井バー（１）における突片部（１５ａ）（１５ｂ）と嵌合する位置決め用の切欠部（２５）（２５）と、天井バー（１）（２）を枠組みした際に第２天井バー（２）の支持部（２３）内に嵌着されて、前記不使用の切欠部（２５）を内側から閉塞するための切欠部閉塞用部材（３）とを備え、切欠部閉塞用部材（３）は、第２天井バー（２）の支持部（２３）における上壁（２３ｃ）内面に当接する基板部（３１）と、基板部（３１）の幅方向一端から立ち下がり形成されて、第２天井バー（２）の支持部（２３）の上壁（２３ｃ）内面と前記左側水平条部（２４ａ）の内面との間で挟着される第１突っ張り片部（３２）と、基板部（３１）の幅方向他端から立ち下がり形成されて、第２天井バー（２）の支持部（２３）の上壁（２３ｃ）内面と前記右側水平条部（２４ｂ）の内面との間で挟着される第２突っ張り片部（３３）と、不使用の切欠部に対応する側の突っ張り片部（３３）の外面に設けられて、前記第２天井バー（２）の左右の水平条部（２４ａ）（２４ｂ）間を通って基板部（３１）の幅方向から支持部（２３）内に挿入されるとともに、該支持部（２３）の軸回りの所定嵌着位置まで回動変移操作された時に、不使用の切欠部（２５）を支持部（２３）外面に面一状態で閉塞する断面Ｌ字形の閉塞片（３４）とを有していることを特徴とする」ものである。
【００１０】
この天井バーにおける切欠部の閉塞構造によれば、第２天井バー（２）の本体部（２１）に対して第１天井バー（１）の本体部（１１）の長手方向の先端側を接合させる時に、第１天井バー（１）の長手方向先端の突片部（１５ａ）（１５ｂ）が第２天井バー（２）の切欠部（２５）に嵌合して第１天井バー（１）が第２天井バー（２）に位置決めされる。
【００１１】
第１天井バー（１）と第２天井バー（２）との接合状態において、前記切欠部（２５）に対応する位置で前記切欠部閉塞用部材（３）を幅方向から前記第２天井バー（２）の左右の水平条部（２４ａ）（２４ｂ）間を通らせて第２天井バー（２）の支持部（２３）に挿入するとともに、該支持部（２３）の軸回りに回動変位操作すれば、所定変位位置において、切欠部閉塞用部材（３）における第２突っ張り片部（３３）が第２天井バー（２）の支持部（２３）の上壁（２３ｃ）内面と前記右側水平条部（２４ｂ）の内面との間で挟着される一方、第１突っ張り片部（３２）が第２天井バー（２）の支持部（２３）の上壁（２３ｃ）内面と前記左側水平条部（２４ａ）の内面との間で挟着され、これと同時に、不使用の切欠部（２５）に対応する側の突っ張り片部（３３）の外面の閉塞片（３４）により、当該切欠部（２５）が支持部（２３）外面に面一状態で閉塞される。
【００１２】
この不使用の切欠部（２５）の閉塞状態では、第１突っ張り片部（３２）が第２天井バー（２）の支持部（２３）の上壁（２３ｃ）内面と前記左側水平条部（２４ａ）の内面との間で挟着され、第２突っ張り片部（３３）が第２天井バー（２）の支持部（２３）の上壁（２３ｃ）内面と前記右側水平条部（２４ｂ）の内面との間で挟着されるので、切欠部閉塞用部材（３）ががたついたりすることなく堅固に装着される他、閉塞片（３４）が支持部（２３）の外面に面一であるので、第２天井バー（２）の外観が損なわれこともなくなり、とくに、支持部（２３）の上壁（２３ｃ）の外面に段差等が生じることもないので、被支持物（Ｍ）が適正姿勢で安定的に支持されることになる。
【００１３】
【発明の実施の形態】
以下、本発明の実施形態を図面に基づいて説明する。
【００１４】
図１は、天井バーにおける切欠部の閉塞構造が適用されたシステム天井を枠組み状態で示す斜視図、図２は、同じくシステム天井の要部の分解斜視図である。
【００１５】
図１及び図２において、このシステム天井（Ａ）は、第２天井バー（２）の両側から（＋）状にクロスさせたり、第２天井バー（２）の一方からＴ字状に接続することで組み立てられる。照明機器等の被支持物（Ｍ）を支持する場合は、前記Ｔ字形接続部位に適用されるものであり、このＴ字状に接続される部分に本発明の切欠部閉塞用部材（３）が適用される。
【００１６】
第１天井バー（１）は、長尺の第２天井バー（２）と協働して被支持物（Ｍ）を下方から支持する部材であり、これら両者（１）（２）の材料としては、鉄、ステンレス鋼板、アルミニウム等の金属材が挙げられる。この例では、第１天井バー（１）及び第２天井バー（２）のすべてを、薄肉鉄板を使用して２つ折りに加工するとともに、各部位を所定形状に成形したものであるが、設置場所の状況や被支持物の荷重等に対応可能な材料を選択すればよく、加工方法も任意である。
【００１７】
第１天井バー（１）における本体部（１１）の上端には、天井スラブ等に取り付けられた吊り金具（図示せず）に接続するための断面形状が四角形の接続部（１２）が形成されている。
【００１８】
また、第１天井バー（１）における本体部（１１）の下端には、天井板や照明器具等の被支持物（Ｍ）を支持するために、断面形状が下向き開放の略コ字形の支持部（１３）が形成されている。具体的には、この支持部（１３）の上壁（１３ｃ）外面が支持面部として構成される。
【００１９】
なお、この実施形態では、被支持物として、例えば蛍光管（ｍ）を保持した照明器具（Ｍ）を図示してある。
【００２０】
この支持部（１３）の幅方向両側壁（１３ａ）（１３ｂ）の各下端側は、それぞれ幅方向内方へ折曲されて、長手方向全長に延びる左右の水平条部（１４ａ）（１４ｂ）となっている。
【００２１】
これら水平条部（１４ａ）（１４ｂ）の長手方向の先端には、鋭角状に突出する突片部（１５ａ）（１５ｂ）が形成されている。各突片部（１５ａ）（１５ｂ）は、それぞれ幅方向の外端側が先端に至るにつれて幅狭になるように斜めに切り欠かれており、長手方向に対して該切欠傾斜角度は、４５°に（＝直角２等辺３角形状）設定されている。従って、両突片部（１５ａ）（１５ｂ）での突出角度が９０°になっている。
【００２２】
第１天井バー（１）における本体部（１１）の長手方向の先端部には、第１天井バー（１）における本体部（２１）に接合するため接合手段として、例えば互いに重合状態で、かつ接合操作で互いに離反する側へ９０°折曲可能な凸部（１６）（１６）が形成されている。
【００２３】
第２天井バー（２）における本体部（２１）の上端にも同様に、天井スラブ等に取り付けられた吊り金具（図示せず）に接続するための断面形状が四角形の接続部（２２）が形成されている。勿論、第１天井バー（１）における接続部（１２）並びに第２天井バー（２）における接続部（２２）の形状は、断面形状が四角形に限定されるものでなく、吊り金具に接続しやすい形状であればよい。
【００２４】
また、第２天井バー（２）における本体部（２１）の下端にも、前記と同様に被支持物（Ｍ）を支持するために、断面形状が下向き開放の略コ字形の支持部（２３）が形成されている。具体的には、この支持部（２３）の上壁部（２３ｃ）外面が支持面部として構成される。
【００２５】
この支持部（２３）の幅方向の両側壁（２３ａ）（２３ｂ）の各下端側は、それぞれ幅方向内方へ折曲されて、全長にわたって延びる左右の水平条部（２４ａ）（２４ｂ）となっている。
【００２６】
第１天井バー（１）の接合位置に対応して、第２天井バー（２）における支持部（２３）の左側壁（２３ａ）から左側の水平条部（２４ａ）の内端にかけての部位には、前記第１天井バー（１）が第２天井バー（２）に対してＴ字形に接合される際に、この第１天井バー（１）側の突片部（１５ａ）（１５ｂ）と嵌合して位置決めを行う断面形状が従来例で説明したようにＬ形で、平面形状が内側にすぼまった台形状の切欠部（２５）が形成されている。
【００２７】
また、第２天井バー（２）における支持部（２３）の右側壁（２３ｂ）から右側の水平条部（２４ｂ）の内端にかけても、前記と同様の位置決め用の切欠部（２５）が形成されている。
【００２８】
これら第２天井バー（２）における切欠部（２５）（２５）のうち、第１天井バー（１）が接合される側の切欠部（２５）が位置決めに使用され、逆に、第１天井バー（１）が接合されない側の切欠部（２５）は、不使用となる。
【００２９】
第２天井バー（２）における本体部（２１）には、所定の接合位置において、第１天井バー（１）側の凸部（１６）（１６）を嵌め込ませるための縦長の嵌合孔（２６）が形成されている。
【００３０】
なお、第１天井バー（１）側の両凸部（１６）（１６）を第２天井バー（２）側の嵌合孔（２６）に嵌入してからこれら凸部（１６）（１６）を互いに離反する側へ９０°折り曲げることにより、凸部（１６）（１６）と嵌合孔（２６）に係合し、これにより、第１天井バー（１）と第２天井バー（２）とがＴ形に接合される。
【００３１】
更に、凸部（１６）（１６）に係止片（５０ａ）をもった係止孔（５０）が形成されており、前記嵌合孔（２６）に凸部（１６）（１６）を嵌め込んだ際に抜け止め用の係止プレート（５１）を係止孔（５０）に挿通して、凸部（１６）（１６）の折曲状態が係止片（５０ａ）で係止されるようになっており、凸部（１６）（１６）の嵌合孔（２６）からの逸脱が確実に防止される。
【００３２】
勿論、第２天井バー（２）の本体部（２１）と第１天井バー（１）の長手方向の先端との接合手段は、この実施形態のように、凸部（１６）（１６）と嵌合孔（２６）によるものに限定されるものではなく、各種の接合構造を採用可能である。
【００３３】
前記切欠部閉塞用部材（３）は、第１天井バー（１）が第２天井バー（２）に対してＴ字形に接合された時に、第２天井バー（２）における支持部（２３）において、不使用の切欠部（２５）を内側から閉塞させるためのものであり、前記支持部（２３）の下側開放部分、つまり、左右の水平条部（２４ａ）（２４ｂ）間から挿入して支持部（２３）内で軸回りに所定変位位置まで回転変位操作することにより、該支持部（２３）内に嵌着される。
【００３４】
この切欠部閉塞用部材（３）の構成材は、第１及び第２天井バー（１）（２）と同じ金属材、あるいは合成樹脂等の使用も可能である。
【００３５】
切欠部閉塞用部材（３）は、前記第２天井バー（２）の支持部（２３）における上壁（２３ｃ）の内面に当接する基板部（３１）と、この基板部（３１）の幅方向一端（左端）から一体に立ち下がり形成されて、前記支持部（２３）の上壁（２３ｃ）と前記左側の水平条部（２４ａ）の内面との間で挟着される第１突っ張り片部（３２）と、基板部（３１）の幅方向他端（右端）から一体に立ち下がり形成されて、前記支持部（２３）の上壁（２３ｃ）の内面と前記右側の水平条部（２４ｂ）の内面との間で挟着される第２突っ張り片部（３３）とを備えており、さらに、切欠部閉塞用部材（３）は、不使用の切欠部（２５）に対応する側の突っ張り片部、ここでは、第２突っ張り片部（３３）の外面に、前記切欠部（２５）に対応する形状の断面Ｌ字形の閉塞片（３４）が固定されている。
【００３６】
この閉塞片（３４）は、切欠部（２５）の外形状と略合同であり、第２突っ張り片部（３３）に固定される四角形状の垂直部（３４ａ）と台形状の先端側水平部（３４ｂ）とからなる。
【００３７】
このような閉塞片（３４）は、切欠部閉塞用部材（３）の基板部（３１）の幅方向、具体的には、第２突っ張り片部（３３）および閉塞片（３４）側を、第２天井バー（２）の左右の水平条部（２４ａ）（２４ｂ）間を通しながら、全体を支持部（２３）内に挿入するとともに、支持部（２３）の軸回りに所定位置まで回転変位操作した時に、支持部（２３）の内側から不使用の切欠部（２５）を嵌合状に閉塞するようになっており、その厚みは、前記切欠部（２５）の厚みに略相当している。
【００３８】
次に、上記構成のシステム天井の組み立て手順を説明する。
【００３９】
まず、図３に示すように、第２天井バー（２）の嵌合孔（２６）に第１天井バー（１）の両凸部（１６）（１６）を嵌め込むと、第１天井バー（１）における支持部（１３）の先端突片部（１５ａ）（１５ｂ）が第２天井バー（２）における接合側の切欠部（２５）に９０°の当たり角度で嵌合して、第１天井バー（１）の長手方向の先端が第２天井バー（２）の本体部（２１）に対してＴ字形に位置決めされる。
【００４０】
この後、図４に示すように、両凸部（１６）（１６）を互いに離反方向へ９０°折り曲げることにより、両凸部（１６）（１６）が嵌合孔（２６）に係止され、これにより、第２天井バー（２）の本体部（２１）に第１天井バー（１）の長手方向の先端が接合される。
【００４１】
第２天井バー（２）の本体部（２１）に第１天井バー（１）の長手方向の先端を接合した後、切欠部閉塞用部材（３）を前記切欠部（２５）に対応する位置において、第２天井バー（２）の支持部（２３）に下方から挿入する。
【００４２】
具体的には、図４に示すように、第２天井バー（２）の支持部（２３）の下端開放部、つまり左右の水平条部（２４ａ）（２４ｂ）間から切欠部閉塞用部材（３）を、閉塞片（３４）側を上にした略斜め姿勢にして前記支持部（２３）内に挿入する。そして、この切欠部閉塞用部材（３）を図５に示すように、支持部（２３）の軸回りへ回転変位操作すれば、図６及び図７に示すように、所定変位位置で閉塞片（３４）により前記不使用の切欠部（２５）が支持部（２３）の内側から閉塞される。つまり、切欠部閉塞用部材（３）を挿入して回転変位操作するだけで簡単に、不使用の切欠部（２５）が閉塞される。
【００４３】
この切欠部閉塞用部材（３）における閉塞片（３４）が前記支持部（２３）の外面に面一になるので、外観性もよくなるうえ、支持部（２３）の上壁（２３ｃ）外面に段差が発生することもなく、被支持物（Ｍ）を安定して適正姿勢で支持することができる。
【００４４】
この時、切欠部閉塞用部材（３）の第１突っ張り片部（３２）が第２天井バー（２）における支持部（２３）の上壁（２３ｃ）内面と前記左側水平条部（２４ａ）の内面との間で挟着される一方、第２突っ張り片部（３３）が前記第２天井バー（２）における支持部（２３）の上壁（２３ｃ）内面と前記右側水平条部（２４ａ）の内面との間で挟着されるので、支持部（２３）内で切欠部閉塞用部材（３）が堅固に装着された状態となり、切欠部閉塞用部材（３）が不用意に外れたりするおそれもなくなり、切欠部（２５）の閉成状態が良好に保持される。
【００４５】
なお、前記閉塞片（３４）は、第１突っ張り片部（３２）の外面にも固定することも可能であり、その場合、枠組み状態で第２天井バー（２）の両切欠部（２５）（２５）を閉塞するのに対応可能となる。
【００４６】
【発明の効果】
以上のように、この発明は、第１天井バーの長手方向の先端側を第２天井バーに接合した状態で、切欠部閉塞用部材を第２天井バーの支持部内に下方から挿入して回転変位させるだけで、切欠部閉塞用部材における閉塞片により第２天井バーにおける不使用の切欠部を内側から支持部の外面に面一状態で閉塞でき、天井バーの見栄えもよくなるうえ、支持部上に被支持物を適正に支持でき、しかも、切欠部閉塞用部材における第１および第２突っ張り片部が支持部内で上下方向から挟着されるので、閉塞用部材の逸脱等のおそれを解消できる。
【図面の簡単な説明】
【図１】本発明の一実施形態にかかる天井バーにおける切欠部の閉塞構造が適用されたシステム天井を枠組み状態で示す斜視図である。
【図２】本発明の一実施形態にかかる天井バーにおける切欠部の閉塞構造が適用されたシステム天井における要部の分解斜視図である。
【図３】システム天井の枠組み工程を示す断面図である。
【図４】システム天井の枠組み状態で天井バーの支持部に切欠部閉塞用部材を挿入する工程を示す要部の断面図である。
【図５】システム天井の枠組み状態で天井バーの支持部に切欠部閉塞用部材を挿入しながら回転操作する工程を示す要部の断面図である。
【図６】システム天井の枠組み状態で天井バーの支持部に切欠部閉塞用部材を嵌着した状態を示す要部の断面図である。
【図７】システム天井の枠組み状態で天井バーの支持部に切欠部閉塞用部材を嵌着した状態を示す要部の斜視図である。
【図８】従来の天井バーにおける切欠部の閉塞構造が適用されたシステム天井における要部の分解斜視図である。
【図９】従来の天井バーにおける切欠部を閉塞した状態を示す斜視図である。
【符号の説明】
（１）　第１天井バー
（２）　第２天井バー
（３）　切欠部閉塞用部材
（１１）　第１天井バーの本体部
（１３）　第１天井バーの支持部
（１３ａ）（１３ｂ）　第１天井バーの支持部の両側壁
（１４ａ）（１４ｂ）　第１天井バーの支持部の水平条部
（１５ａ）（１５ｂ）　第１天井バーの突片部
（２１）　第２天井バーの本体部
（２３）　第２天井バーの支持部
（２３ａ）（２３ｂ）　第２天井バーの支持部の両側壁
（２３ｃ）　第２天井バーの支持部の上壁
（２４ａ）（２４ｂ）　第２天井バーの支持部の水平条部
（２５）（２５）　第２天井バーの位置決め用切欠部
（３１）　切欠部閉塞用部材の基板部
（３２）　切欠部閉塞用部材の第１突っ張り片部
（３３）　切欠部閉塞用部材の第２突っ張り片部
（３４）　閉塞片
【図１】
2004052255.tif 000003
【図２】
2004052255.tif 000004
【図３】
2004052255.tif 000005
【図４】
2004052255.tif 000006
【図５】
2004052255.tif 000007
【図６】
2004052255.tif 000008
【図７】
2004052255.tif 000009
【図８】
2004052255.tif 000010
【図９】
2004052255.tif 000011